(57)【要約】【課題】ＨＤＤを搭載した電話端末のハンドセットを置き戻すときに生じる衝撃によるＨＤＤに対するクラッシュを防止する。【解決手段】ハンドセット１３を置き戻す前にその状態を検出する機能を持たせ、通話の終話後のハンドセット１３の置き戻しに連動させて駆動位置にあるＨＤＤ１２の磁気ヘッド１９をホームポジションへ戻すことで、ハンドセット１３を電話機１１に置き戻すときに生じる衝撃によるＨＤＤ１３に対するクラッシュを防止することができる。【選択図】図１
2005159927.tif 000002
【特許請求の範囲】
【請求項１】
インターネットに接続可能なブラウズ機能を備えるとともに、少なくとも前記インターネットを介して得られる情報をＨＤＤに記録再生する電話端末を備えた電話端末装置において、
前記電話端末のハンドセットを用いた通話後に、該ハンドセットのハンドオフを検出することで駆動状態にある前記ＨＤＤの磁気ヘッドをホームポジションに戻すことを特徴とする電話端末装置。
【請求項２】
インターネットに接続可能なブラウズ機能を備えるとともに、少なくとも前記インターネットを介して得られる情報をＨＤＤに記録再生する電話端末を備えた電話端末装置において、
前記電話端末のハンドセットを用いた通話後に、該ハンドセットのハンドオフする直前を検出することで駆動状態にある前記ＨＤＤの磁気ヘッドをホームポジションに戻すことを特徴とする電話端末装置。
【請求項３】
前記ハンドセットのハンドオフの直前検出は、前記ハンドセットと前記電話端末間に設置した電磁石コイルがホールセンサに近づいたかどうかで検出することを特徴とする請求項２記載の電話端末装置。
【請求項４】
前記ハンドセットのハンドオフの直前検出は、前記ハンドセットの向きの変化で検出することを特徴とする請求項２記載の電話端末装置。
【発明の詳細な説明】
【技術分野】
【０００１】
この発明は、ＨＤＤを搭載する電話端末のＨＤＤクラッシュ防止を施した電話端末装置に関する。
【背景技術】
【０００２】
従来の大量の情報を蓄積したＨＤＤ（Hard Disk Drive）が搭載された携帯電話機は、携帯電話機のマナーモード機能であるバイブレータの振動に伴うＨＤＤの動作不具合を防止することが記載されている。（例えば、特許文献１）
【特許文献１】特開２００３−１７９６７１公報（第５〜６頁、図３）
【発明の開示】
【発明が解決しようとする課題】
【０００３】
上記した特許文献１の技術は、バイブレータの振動によるＨＤＤの動作が不具合となることを防止するものである。ＨＤＤを搭載した固定電話機の場合、通話終了時のハンドセットの置き戻しによる衝撃があり、ＨＤＤデータの入出力に異常が生じるばかりか故障する可能性があった。
【０００４】
この発明の目的は、ＨＤＤを搭載した電話端末のハンドセットを置き戻す際に生じる衝撃によるＨＤＤ損傷を防止する電話端末装置を提供することにある。
【課題を解決するための手段】
【０００５】
上記した課題を解決するために、この発明の電話端末装置は、インターネットに接続可能なブラウズ機能を備えるとともに、少なくとも前記インターネットを介して得られる情報をＨＤＤに記録再生する電話端末を備えたものにあって、前記電話端末のハンドセットを用いた通話後に、該ハンドセットのハンドオフを検出することで駆動状態にある前記ＨＤＤの磁気ヘッドをホームポジションに戻すことを特徴とする。
【０００６】
また、インターネットに接続可能なブラウズ機能を備えるとともに、少なくとも前記インターネットを介して得られる情報をＨＤＤに記録再生する電話端末を備えたものにあって、前記電話端末のハンドセットを用いた通話後に、該ハンドセットのハンドオフする直前を検出することで駆動状態にある前記ＨＤＤの磁気ヘッドをホームポジションに戻すことを特徴とする。
【発明の効果】
【０００７】
この発明によれば、ハンドセットを置き戻す前にその状態を検出する機能を持たせ、通話の終話時とハンドセットの置き戻しに連動させてＨＤＤの磁気ヘッドをホームポジションへ戻すことで、ハンドセットを置き戻す際に生じる衝撃によるＨＤＤに対するクラッシュを防止することができる。
【発明を実施するための最良の形態】
【０００８】
以下、この発明の実施例について、図面を参照しながら詳細に説明する。  
図１は、この発明の一実施例について説明するための外観図である。１１は、ＨＤＤ１２を搭載するとともに、インターネットに接続可能なＷＷＷ（World Wide Web）ブラウズ機能を備えるインテリジェントな電話機であり、１３はハンドセット、１４はフックスイッチ、１５は電話番号などを入力するキーパッド、１６はＷｅｂのブラウズや電話機１１の状態を表示するディスプレイ、１７はスピーカ、１８はマイクである。ＨＤＤ１２は、ネットワークからの閲覧データを保存し、通話の録音あるいは長時間のボイスメイル機能を電話機１１に設けるためのものである。
【０００９】
また、１９はＨＤＤ１２の磁気ディスク２０をトレースして情報の書き込みや読み取りを行う磁気ヘッドである。２１は、磁気ヘッド１９を固定し、磁気ヘッド１９を所望の位置に制御するためのアクチュエータである。
【００１０】
次に、電話機１１の内部構成について図２のブロック図を参照して説明する。図２において、電話機１１の制御やアプリケーションを実行するＣＰＵ２２、プログラムを格納するＲＯＭ２３、ワークメモリのＲＡＭ２４、インターネット２５との接続を行うＬＡＮインターフェース２６、Ｗｅｂのブラウズや電話機１１の状態を表示するディスプレイ１６、情報を保存するＨＤＤ１２，電話番号などを入力するキーパッド１５，電話機インターフェース２７等により構成される。
【００１１】
ところで、電話の発信や着信はフックスイッチ１４の状態を常時スキャンし、ハンドセット１３がオフフックとなったことを把握することができる。ハンドセット１３が一旦オフフックとなると、終話など利用を終えた後にハンドセット１３が置き戻され、電話機１１への衝撃が発生する。
【００１２】
従って、通話中のハンドセット１３のオフフック状態をＣＰＵ２２により、フックスイッチ１４の状態を常時スキャンし、図３の動作フローチャートに示すように、ハンドセット１３がオフフックか？どうかを検出し（Ｓ１）、ＣＰＵ２２ではダイヤル待ちの発信状態や、呼出の応答処理が行われるとともに、ＨＤＤ１２の状態検出を行い（Ｓ２）、ＨＤＤ１２がスタンバイモードでなければスタンバイモードに設定し（Ｓ３，Ｓ４）、ＨＤＤ１２のアクセス禁止状態に設定２１し（Ｓ５）、スタンバイモードとすることで、ＨＤＤ１２の磁気ヘッド１９をホームポジションに戻して衝撃に対応できるように備える。
【００１３】
通常、ＨＤＤ１２の磁気ヘッド１９のシーク時間（約１０ｍＳ）内には磁気ヘッド１９をホームポジションに戻せ、ハンドセット１３の置き戻し上記したように衝撃に備えることができる。
【００１４】
ステップＳ５のハンドセット１３へのアクセス禁止への設定後、ハンドセット１３がオンフックに戻ることを検出し（Ｓ６）、オンフック状態を検出すると、ＨＤＤ１２のアクセス禁止設定を解除し（Ｓ７）、再びハンドセット１３のオフフックを検出待ち（Ｓ１）とする。
【００１５】
この実施例では、電話機のハンドセットのオフフックを検出により、ＨＤＤを停止させることで、ハンドセットの置き戻し時の衝撃からＨＤＤを保護させることができる。
【００１６】
ところで、上記した実施例では、オフフック時のＨＤＤ１２とのデータアクセスを行うアプリケーションが利用できないことが考えられる。このため、通話録音はＲＡＭ２４の容量の大きくし、一旦ＲＡＭ２４に録音データ記録しておき、オンフック後にＨＤＤ１２へ転送する必要がある。また、オフフック中のＨＤＤ１２へ記録されたボイスメイルのメイルボックスのアクセスができないことが不便である。
【００１７】
そこで、図４に示すこの発明の他の実施例では、ハンドセット１３の置き戻しの際にハンドセット１３と電話機１１本体との距離を検出し、オンフックとなる前にＨＤＤ１２をスタンバイモードに設定し、ハンドセット１３のオフフック中でもＨＤＤ１２を利用するアプリケーションに対応できるようにするものである。上記実施例と同一の構成部分には同一の符号を付して説明する。
【００１８】
すなわち、ハンドセット１３に小型の電磁石コイル４１を配置し、電話機のホールセンサ４２により電磁石コイル４１からの磁界を検出することにより、ハンドセット１３の置き戻しを検出するものである。
【００１９】
ハンドセット１３の磁界を発生するための電磁石コイル４１は、図５に示すように、ＯＳＣ５１から数十Ｈｚの交流電圧を電磁石コイル４１に印加し、ホールセンサ４２により距離Ｌの変化によるホールセンサ４２の検出電圧の変化よりその接近を検出するものである。
【００２０】
ホールセンサ４２の検出電圧は、図６に示すように、距離の２乗に反比例し、検出電圧が変化するため一定の距離以下を閾値Ｔｈとして設定し、閾値Ｔｈ以上のセンサ電圧Ｖｓを検出した場合には、ハンドセット１３の接近と認識する。閾値ＴｈをＬ＝１０ｃｍ程度の位置とすることで、ＨＤＤ１２の磁気ヘッド１９がホームポジションに戻るまでの時間（約１０ｍＳ）を確保する。
【００２１】
このようにハンドセット１３の電話機１１への接近を検出するために、図７に示すように、ホールセンサ４２とホールセンサの検出電圧Ｖｓの整流と積分を行う積分器７１とコンパレータ７２を設置している。その他の構成として、ホールセンサ４２の出力電圧は、一旦オペアンプにより増幅した後に、Ａ／Ｄコンバータによりディジタル値に変換し、ＣＰＵ２２によりディジタル値が一定の閾値あるいは、単位時間の電圧の上昇によるハンドセット１３の接近を検出してもよい。
【００２２】
次に、ハンドセットの接近を検出するこの実施例の動作フローチャートを図８に示す。この場合、図３のフックスイッチ１４により検出するステップＳ１から、ホールセンサ４２によるハンドセット１３の置き戻し接近の検出するステップＳ１１に置き換えれば事済む。
【００２３】
この実施例の場合、電話機のハンドセットをオフフックする前にＨＤＤを停止させることが可能となることから、ハンドセットの置き戻し時の衝撃からより確実にＨＤＤを保護させることができる。
【００２４】
この発明は、上記した実施例に限定されるものではなく、例えば、ハンドセット１３の置き戻しの検出は、電話機１１が卓上設置とすれば、ハンドセット１３の置き戻しのときに、ハンドセット１３が垂直方向から水平方向に変化するため、図９のように、ハンドセット１３内部に水銀レリーや角度センサなどの重力を検出するセンサ９１を設けることにより、ハンドセット１３が通常利用の垂直方向から水平方向へ移動したことを検出し、それをハンドセットの置き戻しと判定することでＨＤＤ１２をスタンバイ設定し、損傷から保護することも有効である。
【図面の簡単な説明】
【００２５】
【図１】この発明の一実施例について説明するための外観斜視図。
【図２】図１の内部構成について説明するためのシステム構成図。
【図３】図２の動作について説明するためのフローチャート。
【図４】この発明の他の実施例について説明するための外観斜視図。
【図５】図４の主要部の具体例について説明するための説明図。
【図６】図４のホールセンサの検出電圧について説明するための説明図。
【図７】図４の内部構成について説明するためのシステム構成図。
【図８】図７の動作について説明するためのフローチャート。
【図９】この発明の主要部の他の具体例について説明するための説明図。
【符号の説明】
【００２６】
１１…電話機、１２…ＨＤＤ、１３…ハンドセット、１４…フックスイッチ、１９…磁気ヘッド、２０…磁気ディスク、４１…電磁石コイル、４２…ホールセンサ、９１…センサ
【図１】
2005159927.tif 000003
【図２】
2005159927.tif 000004
【図３】
2005159927.tif 000005
【図４】
2005159927.tif 000006
【図５】
2005159927.tif 000007
【図６】
2005159927.tif 000008
【図７】
2005159927.tif 000009
【図８】
2005159927.tif 000010
【図９】
2005159927.tif 000011